【手続補正書】
【提出日】平成16年4月21日(2004.4.21)
【手続補正１】
【補正対象書類名】明細書
【補正対象項目名】特許請求の範囲
【補正方法】変更
【補正の内容】
【特許請求の範囲】
【請求項１】
特典を得るための又は特典そのものである特典情報を発行するシステムにおいて、
ユーザによる指定情報を含むユーザ情報を記憶するためのユーザ情報記憶手段と、前記ユーザ情報記憶手段の指定情報に基づいて前記特典情報を生成する特典情報生成手段と、前記特典情報生成手段で生成した特典情報を前記ユーザに対して発行する特典情報発行手段とを備えることを特徴とする特典情報発行システム。
【請求項２】
広告に関する広告情報を発行するシステムにおいて、
ユーザによる指定情報を含むユーザ情報を記憶するためのユーザ情報記憶手段と、前記ユーザ情報記憶手段の指定情報に基づいて前記広告情報を生成する広告情報生成手段と、前記広告情報生成手段で生成した広告情報を前記ユーザに対して発行する広告情報発行手段とを備えることを特徴とする広告情報発行システム。
【請求項３】
ディジタルコンテンツを配信するシステムにおいて、
ユーザによる指定情報を含むユーザ情報を記憶するためのユーザ情報記憶手段と、前記ユーザ情報記憶手段の指定情報に基づいて特典を得るための又は特典そのものである特典情報を生成する特典情報生成手段と、前記特典情報生成手段で生成した特典情報を取得可能に前記ディジタルコンテンツと関連付ける特典情報関連付け手段と、前記特典情報関連付け手段によって前記特典情報が関連付けられたディジタルコンテンツを前記ユーザに対して配信するコンテンツ配信手段とを備えることを特徴とするディジタルコンテンツ配信システム。
【請求項４】
ディジタルコンテンツを配信するシステムにおいて、
ユーザによる指定情報を含むユーザ情報を記憶するためのユーザ情報記憶手段と、前記ユーザ情報記憶手段の指定情報に基づいて広告に関する広告情報を生成する広告情報生成手段と、前記広告情報生成手段で生成した広告情報を閲覧可能に前記ディジタルコンテンツと関連付ける広告情報関連付け手段と、前記広告情報関連付け手段によって前記広告情報が関連付けられたディジタルコンテンツを前記ユーザに対して配信するコンテンツ配信手段とを備えることを特徴とするディジタルコンテンツ配信システム。
【請求項５】
ディジタルコンテンツを配信するシステムにおいて、
ユーザによる指定情報を含むユーザ情報を記憶するためのユーザ情報記憶手段と、前記ユーザ情報記憶手段の指定情報に基づいて特典を得るための又は特典そのものである特典情報を生成する特典情報生成手段と、前記ユーザ情報記憶手段の指定情報に基づいて広告に関する広告情報を生成する広告情報生成手段と、前記ユーザ情報記憶手段の指定情報に基づいて前記ディジタルコンテンツの出力レイアウトを決定してレイアウトを行うコンテンツレイアウト手段と、前記特典情報生成手段で生成した特典情報を取得可能に前記コンテンツレイアウト手段でレイアウトしたディジタルコンテンツと関連付ける特典情報関連付け手段と、前記広告情報生成手段で生成した広告情報を閲覧可能に前記コンテンツレイアウト手段でレイアウトしたディジタルコンテンツと関連付ける広告情報関連付け手段と、前記特典情報関連付け手段及び前記広告情報関連付け手段によって前記特典情報及び前記広告情報が関連付けられたディジタルコンテンツを前記ユーザに対して配信するコンテンツ配信手段とを備えることを特徴とするディジタルコンテンツ配信システム。
【請求項６】
請求項５において、
複数のディジタルコンテンツを記憶したコンテンツ記憶手段と、前記ユーザ情報記憶手段の指定情報に基づいて前記コンテンツ記憶手段のなかから前記ディジタルコンテンツを選択するコンテンツ選択手段とを備え、
前記コンテンツレイアウト手段は、前記ユーザ情報記憶手段の指定情報に基づいて前記コンテンツ選択手段で選択したディジタルコンテンツの出力レイアウトを決定してレイアウトを行うようになっていることを特徴とするディジタルコンテンツ配信システム。
【請求項７】
請求項５及び６のいずれかにおいて、
前記特典情報生成手段は、前記ディジタルコンテンツの配信回数に応じて前記特典情報を生成するようになっていることを特徴とするディジタルコンテンツ配信システム。
【請求項８】
請求項５乃至７のいずれかにおいて、
前記ユーザ情報は、ユーザの興味又は嗜好に関する興味情報を含み、
前記特典情報生成手段は、前記ユーザ情報記憶手段の興味情報に基づいて、ユーザの興味又は嗜好に適合した特典情報を生成するようになっており、
前記広告情報生成手段は、前記ユーザ情報記憶手段の興味情報に基づいて、ユーザの興味又は嗜好に適合した広告情報を生成するようになっていることを特徴とするディジタルコンテンツ配信システム。
【請求項９】
請求項５乃至８のいずれかにおいて、
前記ユーザ情報は、ユーザの希望地域に関する地域情報を含み、
前記特典情報生成手段は、前記ユーザ情報記憶手段の地域情報に基づいてユーザの希望地域内で特典を得るための特典情報を生成するようになっており、
前記広告情報生成手段は、前記ユーザ情報記憶手段の地域情報に基づいてユーザの希望地域に関する広告情報を生成するようになっていることを特徴とするディジタルコンテンツ配信システム。
【請求項１０】
請求項５乃至９のいずれかにおいて、
前記ユーザ情報は、ユーザの希望時期に関する時期情報を含み、
前記特典情報生成手段は、前記ユーザ情報記憶手段の時期情報に基づいて現在から所定期間内で特典を得るための特典情報を生成するようになっており、
前記広告情報生成手段は、前記ユーザ情報記憶手段の時期情報に基づいて現在から所定期間内において有益な広告情報を生成するようになっていることを特徴とするディジタルコンテンツ配信システム。
【請求項１１】
請求項５乃至１０のいずれかにおいて、
前記ユーザ情報は、ユーザの予定に関する予定情報を含み、
前記特典情報生成手段は、前記ユーザ情報記憶手段の予定情報に基づいて、ユーザの予定に関して最適であると思われる特典情報を生成するようになっており、
前記広告情報生成手段は、前記ユーザ情報記憶手段の予定情報に基づいて、ユーザの予定に関して最適であると思われる広告情報を生成するようになっていることを特徴とするディジタルコンテンツ配信システム。
【請求項１２】
特典を得るための又は特典そのものである特典情報を発行する特典発行プログラムを記憶した記憶媒体であって、
ユーザによる指定情報を含むユーザ情報を記憶するためのユーザ情報記憶手段を備えたコンピュータに対して、前記ユーザ情報記憶手段の指定情報に基づいて前記特典情報を生成する特典情報生成手段と、前記特典情報生成手段で生成した特典情報を前記ユーザに対して発行する特典情報発行手段とで実現される処理を実行するためのプログラムを記憶したコンピュータ読み取り可能な記憶媒体。
【請求項１３】
広告に関する広告情報を発行する広告情報発行プログラムを記憶した記憶媒体であって、
ユーザによる指定情報を含むユーザ情報を記憶するためのユーザ情報記憶手段を備えたコンピュータに対して、前記ユーザ情報記憶手段の指定情報に基づいて前記広告情報を生成する広告情報生成手段と、前記広告情報生成手段で生成した広告情報を前記ユーザに対して発行する広告情報発行手段とで実現される処理を実行するためのプログラムを記憶したコンピュータ読み取り可能な記憶媒体。
【請求項１４】
特典を得るための又は特典そのものである特典情報を発行するコンテンツ配信端末において、
ユーザによる指定情報を含むユーザ情報を記憶するためのユーザ情報記憶手段と、前記ユーザ情報記憶手段の指定情報に基づいて前記特典情報を生成する特典情報生成手段と、前記特典情報生成手段で生成した特典情報を前記ユーザに対して発行する特典情報発行手段とを備えることを特徴とするコンテンツ配信端末。
【請求項１５】
広告に関する広告情報を発行するコンテンツ配信端末において、
ユーザによる指定情報を含むユーザ情報を記憶するためのユーザ情報記憶手段と、前記ユーザ情報記憶手段の指定情報に基づいて前記広告情報を生成する広告情報生成手段と、前記広告情報生成手段で生成した広告情報を前記ユーザに対して発行する広告情報発行手段とを備えることを特徴とするコンテンツ配信端末。
【請求項１６】
ディジタルコンテンツを配信するコンテンツ配信端末において、
ユーザによる指定情報を含むユーザ情報を記憶するためのユーザ情報記憶手段と、前記ユーザ情報記憶手段の指定情報に基づいて特典を得るための又は特典そのものである特典情報を生成する特典情報生成手段と、前記特典情報生成手段で生成した特典情報を取得可能に前記ディジタルコンテンツと関連付ける特典情報関連付け手段と、前記特典情報関連付け手段によって前記特典情報が関連付けられたディジタルコンテンツを前記ユーザに対して配信するコンテンツ配信手段とを備えることを特徴とするコンテンツ配信端末。
【請求項１７】
ディジタルコンテンツを配信するコンテンツ配信端末において、
ユーザによる指定情報を含むユーザ情報を記憶するためのユーザ情報記憶手段と、前記ユーザ情報記憶手段の指定情報に基づいて広告に関する広告情報を生成する広告情報生成手段と、前記広告情報生成手段で生成した広告情報を閲覧可能に前記ディジタルコンテンツと関連付ける広告情報関連付け手段と、前記広告情報関連付け手段によって前記広告情報が関連付けられたディジタルコンテンツを前記ユーザに対して配信するコンテンツ配信手段とを備えることを特徴とするコンテンツ配信端末。
【請求項１８】
ディジタルコンテンツを配信するコンテンツ配信端末において、
ユーザによる指定情報を含むユーザ情報を記憶するためのユーザ情報記憶手段と、前記ユーザ情報記憶手段の指定情報に基づいて特典を得るための又は特典そのものである特典情報を生成する特典情報生成手段と、前記ユーザ情報記憶手段の指定情報に基づいて広告に関する広告情報を生成する広告情報生成手段と、前記ユーザ情報記憶手段の指定情報に基づいて前記ディジタルコンテンツの出力レイアウトを決定してレイアウトを行うコンテンツレイアウト手段と、前記特典情報生成手段で生成した特典情報を取得可能に前記コンテンツレイアウト手段でレイアウトしたディジタルコンテンツと関連付ける特典情報関連付け手段と、前記広告情報生成手段で生成した広告情報を閲覧可能に前記コンテンツレイアウト手段でレイアウトしたディジタルコンテンツと関連付ける広告情報関連付け手段と、前記特典情報関連付け手段及び前記広告情報関連付け手段によって前記特典情報及び前記広告情報が関連付けられたディジタルコンテンツを前記ユーザに対して配信するコンテンツ配信手段とを備えることを特徴とするコンテンツ配信端末。
【手続補正２】
【補正対象書類名】明細書
【補正対象項目名】００２４
【補正方法】変更
【補正の内容】
【００２４】
ここで、ユーザ情報記憶手段は、ユーザ情報をあらゆる手段でかつあらゆる時期に記憶するものであり、ユーザ情報をあらかじめ記憶してあるものであってもよいし、ユーザ情報をあらかじめ記憶することなく、本システムの動作時に外部からの入力等によってユーザ情報を記憶するようになっていてもよい。以下、請求項２記載の広告情報発行システム、請求項３、４および５記載のディジタルコンテンツ配信システム、並びに請求項１４ないし１８記載のコンテンツ配信端末において同じである。


【手続補正３】
【補正対象書類名】明細書
【補正対象項目名】００２６
【補正方法】変更
【補正の内容】
【００２６】
また、特典情報の発行は、ユーザに配信することにより行ってもよいし、ユーザがユーザ端末からアクセスして取得できるように、ユーザ端末が通信可能な端末の記憶手段に格納することにより行ってもよい。以下、請求項１４記載のコンテンツ配信端末において同じである。
【手続補正４】
【補正対象書類名】明細書
【補正対象項目名】００２９
【補正方法】変更
【補正の内容】
【００２９】
ここで、広告情報の発行は、ユーザに配信することにより行ってもよいし、ユーザがユーザ端末からアクセスして取得できるように、ユーザ端末が通信可能な端末の記憶手段に格納することにより行ってもよい。以下、請求項１５記載のコンテンツ配信端末において同じである。
【手続補正５】
【補正対象書類名】明細書
【補正対象項目名】００３２
【補正方法】変更
【補正の内容】
【００３２】
ここで、特典情報は、ディジタルコンテンツと関連付いていればよく、その関連づけは、例えば、特典情報をディジタルコンテンツに添付することにより行ってもよいし、特典情報を取得可能な参照情報（例えば、ＵＲＬ（Uniform Resource Locator））をディジタルコンテンツに添付することにより行ってもよい。以下、請求項５記載のディジタルコンテンツ配信システム、並びに請求項１６および１８記載のコンテンツ配信端末において同じである。


【手続補正６】
【補正対象書類名】明細書
【補正対象項目名】００３５
【補正方法】変更
【補正の内容】
【００３５】
ここで、広告情報は、ディジタルコンテンツと関連付いていればよく、その関連づけは、例えば、広告情報をディジタルコンテンツに添付することにより行ってもよいし、広告情報を閲覧可能な参照情報（例えば、ＵＲＬ）をディジタルコンテンツに添付することにより行ってもよい。以下、請求項５記載のディジタルコンテンツ配信システム、並びに請求項１７および１８記載のコンテンツ配信端末において同じである。


【手続補正７】
【補正対象書類名】明細書
【補正対象項目名】００３８
【補正方法】変更
【補正の内容】
【００３８】
ここで、出力レイアウトには、ディジタルコンテンツを画面上に表示する場合の表示レイアウト、またはディジタルコンテンツを紙面上に印刷する場合の印刷レイアウトが含まれる。以下、請求項１８記載のコンテンツ配信端末において同じである。
【手続補正８】
【補正対象書類名】明細書
【補正対象項目名】００３９
【補正方法】変更
【補正の内容】
【００３９】
また、特典情報を生成するために用いる指定情報、広告情報を生成するために用いる指定情報および出力レイアウトを決定するために用いる指定情報は、同一の情報であってもよいし、それぞれ異なる情報であってもよい。ユーザにとって必要性の高い特典情報および広告情報を提供するという観点からは、それら指定情報は、それぞれ異なる情報であることが好ましい。以下、請求項１８記載のコンテンツ配信端末において同じである。
【手続補正９】
【補正対象書類名】明細書
【補正対象項目名】００６３
【補正方法】変更
【補正の内容】
【００６３】
このような構成であれば、記憶媒体に記憶された広告情報発行プログラムがコンピュータによって読み取られ、読み取られたプログラムに従ってコンピュータが処理を実行したときは、請求項２記載の広告情報発行システムと同等の作用が得られる。
一方、上記目的を達成するために、本発明に係る請求項１４記載のコンテンツ配信端末は、特典を得るためのまたは特典そのものである特典情報を発行するコンテンツ配信端末において、ユーザによる指定情報を含むユーザ情報を記憶するためのユーザ情報記憶手段と、前記ユーザ情報記憶手段の指定情報に基づいて前記特典情報を生成する特典情報生成手段と、前記特典情報生成手段で生成した特典情報を前記ユーザに対して発行する特典情報発行手段とを備える。
このような構成であれば、請求項１記載の特典情報発行システムと同等の作用が得られる。
さらに、本発明に係る請求項１５記載のコンテンツ配信端末は、広告に関する広告情報を発行するコンテンツ配信端末において、ユーザによる指定情報を含むユーザ情報を記憶するためのユーザ情報記憶手段と、前記ユーザ情報記憶手段の指定情報に基づいて前記広告情報を生成する広告情報生成手段と、前記広告情報生成手段で生成した広告情報を前記ユーザに対して発行する広告情報発行手段とを備える。
このような構成であれば、請求項２記載の広告情報発行システムと同等の作用が得られる。
さらに、本発明に係る請求項１６記載のコンテンツ配信端末は、ディジタルコンテンツを配信するコンテンツ配信端末において、ユーザによる指定情報を含むユーザ情報を記憶するためのユーザ情報記憶手段と、前記ユーザ情報記憶手段の指定情報に基づいて特典を得るためのまたは特典そのものである特典情報を生成する特典情報生成手段と、前記特典情報生成手段で生成した特典情報を取得可能に前記ディジタルコンテンツと関連付ける特典情報関連付け手段と、前記特典情報関連付け手段によって前記特典情報が関連付けられたディジタルコンテンツを前記ユーザに対して配信するコンテンツ配信手段とを備える。
このような構成であれば、請求項３記載のディジタルコンテンツ配信システムと同等の作用が得られる。
さらに、本発明に係る請求項１７記載のコンテンツ配信端末は、ディジタルコンテンツを配信するコンテンツ配信端末において、ユーザによる指定情報を含むユーザ情報を記憶するためのユーザ情報記憶手段と、前記ユーザ情報記憶手段の指定情報に基づいて広告に関する広告情報を生成する広告情報生成手段と、前記広告情報生成手段で生成した広告情報を閲覧可能に前記ディジタルコンテンツと関連付ける広告情報関連付け手段と、前記広告情報関連付け手段によって前記広告情報が関連付けられたディジタルコンテンツを前記ユーザに対して配信するコンテンツ配信手段とを備える。
このような構成であれば、請求項４記載のディジタルコンテンツ配信システムと同等の作用が得られる。
さらに、本発明に係る請求項１８記載のコンテンツ配信端末は、ディジタルコンテンツを配信するコンテンツ配信端末において、ユーザによる指定情報を含むユーザ情報を記憶するためのユーザ情報記憶手段と、前記ユーザ情報記憶手段の指定情報に基づいて特典を得るためのまたは特典そのものである特典情報を生成する特典情報生成手段と、前記ユーザ情報記憶手段の指定情報に基づいて広告に関する広告情報を生成する広告情報生成手段と、前記ユーザ情報記憶手段の指定情報に基づいて前記ディジタルコンテンツの出力レイアウトを決定してレイアウトを行うコンテンツレイアウト手段と、前記特典情報生成手段で生成した特典情報を取得可能に前記コンテンツレイアウト手段でレイアウトしたディジタルコンテンツと関連付ける特典情報関連付け手段と、前記広告情報生成手段で生成した広告情報を閲覧可能に前記コンテンツレイアウト手段でレイアウトしたディジタルコンテンツと関連付ける広告情報関連付け手段と、前記特典情報関連付け手段および前記広告情報関連付け手段によって前記特典情報および前記広告情報が関連付けられたディジタルコンテンツを前記ユーザに対して配信するコンテンツ配信手段とを備える。
このような構成であれば、請求項５記載のディジタルコンテンツ配信システムと同等の作用が得られる。
【手続補正１０】
【補正対象書類名】明細書
【補正対象項目名】００７０
【補正方法】変更
【補正の内容】
【００７０】
インターネット１９９には、図１に示すように、ディジタルコンテンツを提供する複数のコンテンツ提供端末Ｓ1〜Ｓnと、コンテンツ提供端末Ｓ1〜Ｓnから提供されたディジタルコンテンツを収集蓄積して配信するコンテンツ配信端末１００と、ユーザの利用に供するユーザ端末２００とが接続されている。なお、発明の理解を容易にするため、ユーザ端末２００を一台しか図示していないが、実際には、複数のユーザ端末がインターネット１９９に接続されている。


【手続補正１１】
【補正対象書類名】明細書
【補正対象項目名】０１４４
【補正方法】変更
【補正の内容】
【０１４４】
コンテンツ配信端末１００では、配信開始要求を受信すると、ステップＳ１００〜Ｓ１２０を経て、これまでに受信したコンテンツの指定、ユーザＩＤ等および出力レイアウト等の指定がユーザプロファイルテーブル３００に登録される。このとき、コンテンツの指定は、カテゴリNo.対応テーブル３４０を参照してカテゴリNo.として登録され、出力レイアウトの指定は、レイアウトNo.対応テーブル３３０を参照してレイアウトNo.として登録される。


【手続補正１２】
【補正対象書類名】明細書
【補正対象項目名】０１６６
【補正方法】変更
【補正の内容】
【０１６６】
さらに、本実施の形態では、コンテンツ配信端末１００は、ディジタルコンテンツを複数記憶したコンテンツ登録ＤＢ４２を備え、カテゴリNo.およびそれに対応するレイアウト定義ファイルをユーザ情報登録ＤＢ４０から読み出し、読み出したカテゴリNo.に基づいて、コンテンツ登録ＤＢ４２のなかからディジタルコンテンツを選択し、読み出したレイアウト定義ファイルに基づいて、選択したディジタルコンテンツ、クーポン情報および広告情報について出力レイアウトを決定してレイアウトを行うようになっている。


【手続補正１３】
【補正対象書類名】明細書
【補正対象項目名】０１７０
【補正方法】変更
【補正の内容】
【０１７０】
上記実施の形態において、クーポン情報は、請求項１、３、５、８ないし１２、１４、１６または１８記載の特典情報に対応し、カテゴリ情報は、請求項８記載の興味情報に対応し、ユーザ情報登録ＤＢ４０は、請求項１ないし６、８ないし１８記載のユーザ情報記憶手段に対応し、コンテンツ登録ＤＢ４２は、請求項６記載のコンテンツ記憶手段に対応している。また、ステップＳ２０４，Ｓ２０６は、請求項６記載のコンテンツ選択手段に対応し、ステップＳ２０８，Ｓ２１０は、請求項１、３、５、８ないし１２、１４、１６または１８記載の特典情報生成手段に対応し、ステップＳ２１２，Ｓ２１４は、請求項２、４、５、８ないし１１、１３、１５、１７または１８記載の広告情報生成手段に対応している。また、ステップＳ２１６〜Ｓ２２０は、請求項５または１８記載のコンテンツレイアウト手段に対応し、ステップＳ２２０は、請求項３、４、１６若しくは１７記載の特典情報関連付け手段、または請求項３、４、１６若しくは１７記載の広告情報関連付け手段に対応し、ステップＳ２２８は、請求項１、１２若しくは１４記載の特典情報発行手段、請求項２、１３若しくは１５記載の広告情報発行手段、または請求項３、４、５、１６、１７若しくは１８記載のコンテンツ配信手段に対応している。


【手続補正１４】
【補正対象書類名】明細書
【補正対象項目名】０１９２
【補正方法】変更
【補正の内容】
【０１９２】
一方、本発明に係る請求項１３記載の広告情報発行プログラムを記憶した記憶媒体によれば、請求項２記載の広告情報発行システムと同等の効果が得られる。
一方、本発明に係る請求項１４記載のコンテンツ配信端末によれば、請求項１記載の特典情報発行システムと同等の効果が得られる。
さらに、本発明に係る請求項１５記載のコンテンツ配信端末によれば、請求項２記載の広告情報発行システムと同等の効果が得られる。
さらに、本発明に係る請求項１６記載のコンテンツ配信端末によれば、請求項３記載のディジタルコンテンツ配信システムと同等の効果が得られる。
さらに、本発明に係る請求項１７記載のコンテンツ配信端末によれば、請求項４記載のディジタルコンテンツ配信システムと同等の効果が得られる。
さらに、本発明に係る請求項１８記載のコンテンツ配信端末によれば、請求項５記載のディジタルコンテンツ配信システムと同等の効果が得られる。